【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
ワイヤ電極と被加工物との間に間欠的に放電を生ぜしめつつ前記ワイヤ電極と前記被加工物とを予め設定された送り速度で相対移動させて、ファーストカットにおけるコーナ部に加工を施すワイヤカット放電加工方法において、前記コーナ部に到達するまでに前記送り速度を予め設定された送り速度よりも次第に小さくし、前記放電のエネルギが初期の電気加工条件で得られる放電のエネルギよりも小さくなるようにし、少なくとも前記ワイヤ電極に加わる放電反力が前記ワイヤ電極の前記相対移動の方向に対して反対方向になる所定の位置まで前記ワイヤ電極を相対移動させて後、送り速度を次第に前記予め設定された送り速度に戻すと共に前記放電エネルギを前記初期の電気加工条件で得られる放電のエネルギに復帰するように増加させるようにしたことを特徴とするワイヤカット放電加工方法。
【請求項２】
前記所定の位置が次の式で表される距離Ｌだけ前記コーナ点から離れた位置である請求項１に記載のワイヤカット放電加工方法。
Ｌ＝（データＣ−コーナＲ）（１／ｓｉｎθ＋１／ｔａｎθ）＋データＤ
ただし、データＣは前記ワイヤ電極の半径と放電ギャップとの和、コーナＲはコーナの半径、θはコーナの角度、データＤはワイヤ電極の遅れ量。
【請求項３】
前記放電の休止期間を長くして放電の周波数を減少させることにより前記放電のエネルギが前記初期の電気加工条件で得られる放電のエネルギよりも小さくなるようにしたことを特徴とする請求項１に記載のワイヤカット放電加工方法。
【請求項４】
前記コーナ部がエッジ状のコーナであるときに、前記コーナ点で予め設定された所定時間前記相対移動を停止するようにしたことを含む請求項１乃至請求項３に記載のワイヤカット放電加工方法。
【請求項５】
前記コーナ部で予め設定された加工液噴流の圧力または流量を小さくするようにし、少なくとも前記所定の位置まで到達した後、前記圧力または流量を次第に前記予め設定された圧力または流量に復帰するように大きくするようにしたことを特徴とする請求項１乃至請求項４に記載のワイヤカット放電加工方法。
【請求項６】
ワイヤ電極と被加工物との間に加工電圧パルスを間欠的に印加する電源装置と、前記ワイヤ電極と前記被加工物とを予め設定された送り速度で相対移動させる相対移動装置とを備えたワイヤカット放電加工装置において、ファーストカットにおけるコーナ部で前記コーナ部に到達するまでに前記送り速度を予め設定された送り速度よりも次第に小さくするようにし、少なくとも前記ワイヤ電極に加わる放電反力が前記ワイヤ電極の前記相対移動の方向に対して反対方向になる所定の位置まで相対移動させて後、前記送り速度を次第に予め設定された送り速度に戻すように前記相対移動装置を制御する相対移動制御装置と、前記コーナ部に到達するまでに前記加工電圧パルスの周波数を初期の周波数よりも低くなるようにし、少なくとも前記ワイヤ電極に加わる放電反力が前記ワイヤ電極の前記相対移動の方向に対して反対方向になる所定の位置に到達して後、前記加工電圧パルスの周波数を次第に前記初期の周波数まで戻すように、前記電源装置を制御するパルス制御装置とを具備したワイヤカット放電加工装置。
【請求項７】
前記パルス制御装置が、前記電源装置に含まれる少なくとも１つのスイッチング素子をオンオフするゲートパルスのオフ時間を増減することにより前記加工電圧パルスの周波数を制御する構成を含む請求項６に記載のワイヤカット放電加工装置。
【手続補正２】
【補正対象書類名】明細書
【補正対象項目名】０００７
【補正方法】変更
【補正の内容】
【０００７】
【課題を解決するための手段】
請求項１に規定する発明は、ワイヤ電極と被加工物との間に間欠的に放電を生ぜしめつつ前記ワイヤ電極と前記被加工物とを予め設定された送り速度で相対移動させて、ファーストカットにおけるコーナ部に加工を施すワイヤカット放電加工方法において、前記コーナ部に到達するまでに前記送り速度を予め設定された送り速度よりも小さくし、前記放電のエネルギが初期の電気加工条件で得られる放電のエネルギよりも小さくなるようにし、少なくとも前記ワイヤ電極に加わる放電反力が前記ワイヤ電極の前記相対移動の方向に対して反対方向になる所定の位置まで前記相対移動させて後、送り速度を次第に前記予め設定された送り速度に戻すと共に前記放電エネルギを前記初期の電気加工条件で得られる放電のエネルギに復帰するように増加させるようにしたものである。
【手続補正３】
【補正対象書類名】明細書
【補正対象項目名】０００８
【補正方法】変更
【補正の内容】
【０００８】
このように、コーナ部のコーナ点で、加工電圧パルスを印加して放電加工は継続したままでワイヤ電極の相対送り速度を徐々に初期に設定された相対送り速度より遅くし、或いは一時停止し、また、放電の周波数を低く設定するなどして放電エネルギを初期値より減少させて放電反力を小さくし、更にワイヤ電極の相対送り速度を小さくした状態で放電反力が相対移動方向に対して反対方向になった後に前記相対送り速度と放電エネルギを初期値に復帰させるように放電加工を行なうようしたので、コーナ部の加工形状にずれがほとんど生ぜず、加工形状の精度を大幅に向上させることが可能となる。
【手続補正４】
【補正対象書類名】明細書
【補正対象項目名】０００９
【補正方法】変更
【補正の内容】
【０００９】
すなわち、曲線状のコーナ部にてパルス放電の周波数を低くしてワイヤ電極の相対送り速度も小さくするようにしたので、曲線状コーナ部の加工形状にずれがほとんど生ぜず、加工形状の精度を大幅に向上させることが可能となる。この場合、前記所定の位置は前記ワイヤ電極が前記被加工物に形成される加工溝に挟まれる位置である。また、請求項２に規定するように、前記所定の位置が次の式で表される距離Ｌだけ前記コーナ点から離れた位置とする。
Ｌ＝（データＣ−コーナＲ） （１／ｓｉｎθ＋１／ｔａｎθ）＋データＤ
ただし、データＣは前記ワイヤ電極の半径と放電ギャップとの和、コーナＲはコーナの半径、θはコーナの角度、データＤはワイヤ電極の遅れ量である。
【手続補正５】
【補正対象書類名】明細書
【補正対象項目名】００１０
【補正方法】変更
【補正の内容】
【００１０】
また、請求項３に規定するように、放電エネルギに関しては、前記放電の休止期間を長くして放電の周波数を減少させることにより前記放電のエネルギが前記初期の電気加工条件で得られる放電のエネルギよりも小さくなるようにする。また、請求項４に規定するように、前記コーナ部がエッジ状のコーナであるときに、前記コーナ点で予め設定された所定時間前記相対移動を停止するようにする。
【手続補正６】
【補正対象書類名】明細書
【補正対象項目名】００１１
【補正方法】変更
【補正の内容】
【００１１】
以上の各発明において、請求項５に規定するように、前記コーナ部で予め設定された加工液噴流の圧力または流量を小さくするようにし、少なくとも前記所定の位置まで到達した後、前記圧力または流量を次第に前記予め設定された圧力または流量に復帰するように大きくするようにすれば、ワイヤ電極の振動も抑制できるので、一層加工形状の精度を向上させることが可能となる。
【手続補正７】
【補正対象書類名】明細書
【補正対象項目名】００１２
【補正方法】変更
【補正の内容】
【００１２】
また、請求項６及び７に規定する発明は、上記方法発明を実施する装置発明であり、ワイヤ電極と被加工物との間に加工電圧パルスを間欠的に印加する電源装置と、前記ワイヤ電極と前記被加工物とを予め設定された送り速度で相対移動させる相対移動装置とを備えたワイヤカット放電加工装置において、ファーストカットにおけるコーナ部で前記コーナ部に到達するまでに前記送り速度を予め設定された送り速度よりも小さくするようにし、少なくとも前記ワイヤ電極に加わる放電反力が前記ワイヤ電極の前記相対移動の方向に対して反対方向になる所定の位置まで相対移動させて後、前記送り速度を次第に予め設定された送り速度に戻すように前記相対移動装置を制御する相対移動制御装置と、前記コーナ部に到達するまでに前記加工電圧パルスの周波数を初期の周波数よりも低くなるようにし、少なくとも前記ワイヤ電極に加わる放電反力が前記ワイヤ電極の前記相対移動の方向に対して反対方向になる所定の位置に到達して後、前記加工電圧パルスの周波数を次第に前記初期の周波数まで戻すように、前記電源装置を制御するパルス制御装置とを具備するようになっている。
【手続補正８】
【補正対象書類名】明細書
【補正対象項目名】００２５
【補正方法】変更
【補正の内容】
【００２５】
次に、ガイド４、６がコーナ点Ｘ２に到達してワイヤ電極２の相対送り速度が零になったならば（時刻ｔ１）、加工液の噴流圧力を低く設定すると共に周波数を最小のｆ４まで小さく設定し、この状態を所定の時間Ｔ１だけ維持する。ここでは、ワイヤ電極２に不要な振動が発生することを防止するために噴流圧力も最小値に設定している。これにより、加工エネルギは最小値に落とされ、この所定の時間Ｔ１の期間で、図１２及び図１３を参照して説明したようにワイヤ電極２と被加工物Ｗとの間は放電が行われてワイヤ電極２の撓みが取り除かれ、加工中心部のワイヤ電極２はガイド４の直下に位置する（図１３参照）。すなわち、図２においては加工中心部のワイヤ電極２は撓みが取り除かれて点Ｘ２に到達することになる。
【手続補正９】
【補正対象書類名】明細書
【補正対象項目名】００３１
【補正方法】変更
【補正の内容】
【００３１】
上記実施例では加工進行方向が鋭角状、直角状或いは鈍角状に屈曲するエッジ状コーナ部５４を加工する場合を例にとって説明したが、例えば加工軌跡が半径Ｒの円弧形状となる曲線状コーナ部を加工する場合にも適用することができる。図８は半径Ｒの曲線状コーナ部５６を加工する時の加工軌跡を示す図、図９は図８に示すコーナ部を加工する時の加工液の噴流圧力と、ワイヤ電極２の相対送り速度と、電圧パルスの周波数の関係を示す図である。図８に示すように点Ｘ１１〜点Ｘ１３が半径Ｒの円弧形状となっており（エッジ状のコーナと異なり、加工プログラムで形成される）、ここでは加工軌跡に角部が存在しないことから、図３中の時刻ｔ１〜ｔ２間の相対移動を停止する状態が存在しない加工方法が採用されることになる。すなわち、ワイヤ電極２の位置が、曲線状コーナ部５６に進入する直前の点Ｘ１０に到達したならば、ワイヤ電極２の相対送り速度（図９（Ｂ）参照）を次第に低下させて点Ｘ１１まで到る。ただし、この実施例の場合には、図３に示す場合と異なり、上述の通り相対送り速度を零にはしないし、また、加工液の噴流圧力を設定値に維持し、更に電圧パルスの周波数を設定値ｆ０に維持する。